(57)【要約】【課題】走査線の駆動負荷が増大する場合であっても、プリチャージ動作により、画素に意図しない電圧が書き込まれることを抑制する。【解決手段】電気光学装置１は、プリチャージ電圧をデータ線１４に出力するタイミングを制御し、複数の走査線１２のいずれかを選択するための走査信号Ｇの電圧が画素トランジスターをオンさせる選択電圧から画素トランジスターをオフさせる非選択電圧へ遷移を開始してからプリチャージ電圧をデータ線に出力するまでの経過時間を、データ電圧の極性に応じて変更する制御回路４０を備える。【選択図】図２
2018092140.tif 000002
【特許請求の範囲】
【請求項１】
複数の走査線と、
複数のデータ線と、
前記複数の走査線および前記複数のデータ線の交差に各々対応して設けられ、前記データ線の電圧を取り込むための画素トランジスターを備えた画素と、
プリチャージ電圧を出力した後、表示すべき階調に応じた大きさのデータ電圧を出力し、所定電圧を基準として前記データ電圧の極性を所定周期で反転させるデータ線駆動部と、
前記プリチャージ電圧を前記データ線に出力するタイミングを制御し、前記複数の走査線のいずれかを選択するための走査信号の電圧が前記画素トランジスターをオンさせる選択電圧から前記画素トランジスターをオフさせる非選択電圧へ遷移を開始してから前記プリチャージ電圧を前記データ線に出力するまでの経過時間を、前記データ電圧の極性に応じて変更する制御部と、
を備えることを特徴とする電気光学装置。
【請求項２】
複数の走査線と、
複数のデータ線と、
前記複数の走査線および前記複数のデータ線の交差に各々対応して設けられ、前記データ線の電圧を取り込むための画素トランジスターを備えた画素と、
スタートパルスとクロック信号とに基づいて、前記複数の走査線の各々に走査信号を出力する走査線駆動部と、
プリチャージ電圧を出力した後、表示すべき階調に応じた大きさのデータ電圧を出力し、所定電圧を基準として前記データ電圧の極性を所定周期で反転させるデータ線駆動部と、
前記データ線へ前記プリチャージ電圧を出力する開始タイミングを指定する選択信号に基づいて、前記データ線駆動部から出力される前記プリチャージ電圧および前記データ電圧を所定のデータ線に出力する選択部と、
前記スタートパルスおよび前記クロック信号を前記走査線駆動部に出力し、前記選択信号を前記選択部に出力し、前記クロック信号が一方のレベルから他方のレベルへ遷移するタイミングから、前記選択信号が指定する前記開始タイミングまでの経過時間を、前記データ電圧の極性に応じて変更する制御部と、
を備えることを特徴とする電気光学装置。
【請求項３】
複数の走査線と、
複数のデータ線と、
前記複数の走査線および前記複数のデータ線の交差に各々対応して設けられ、前記データ線の電圧を取り込むための画素トランジスターを備えた画素と、
スタートパルスとクロック信号と出力制御信号とに基づいて、前記複数の走査線の各々に走査信号を出力する走査線駆動部と、
プリチャージ電圧を出力した後、表示すべき階調に応じた大きさのデータ電圧を出力し、所定電圧を基準として前記データ電圧の極性を所定周期で反転させるデータ線駆動部と、
前記データ線へ前記プリチャージ電圧を出力する開始タイミングを指定する選択信号に基づいて、前記データ線駆動部から出力される前記プリチャージ電圧および前記データ電圧を所定のデータ線に出力する選択部と、
前記スタートパルスおよび前記クロック信号と前記出力制御信号を前記走査線駆動部に出力し、前記選択信号を前記選択部に出力し、前記出力制御信号が一方のレベルから他方のレベルへ遷移するタイミングから、前記選択信号が指定する前記開始タイミングまでの経過時間を、前記データ電圧の極性に応じて変更する制御部と、
を備えることを特徴とする電気光学装置。
【請求項４】
前記出力制御信号は、前記複数の走査線の各々に出力される走査信号のいずれかがアクティブとなる期間にアクティブとなり、
前記出力制御信号が一方のレベルから他方のレベルへ遷移するタイミングは、前記出力制御信号がアクティブから非アクティブに遷移するタイミングである、
ことを特徴とする請求項３に記載の電気光学装置。
【請求項５】
前記データ電圧が正極性の場合の前記プリチャージ電圧は、前記データ電圧が負極性の場合の前記プリチャージ電圧より高いことを特徴とする請求項１乃至３のいずれか１項に記載の電気光学装置。
【請求項６】
前記制御部は、前記データ電圧が負極性の場合の前記経過時間を、前記データ電圧が正極性の場合の前記経過時間よりも長くすることを特徴とする請求項１乃至３のいずれか１項に電気光学装置。
【請求項７】
前記画素は、一方の端子が前記画素トランジスターに接続され、他方の端子が容量線に接続される保持容量を備え、
前記データ電圧が負極性の場合に前記プリチャージ電圧を前記データ線に出力する期間を前記データ電圧が正極性の場合に前記プリチャージ電圧を前記データ線に出力する期間よりも短くすることを特徴とする、請求項１乃至３のいずれか１項に記載の電気光学装置。
【請求項８】
前記データ線駆動部が前記プリチャージ電圧の出力を開始するタイミングは、前記選択信号が指定する前記開始タイミングよりも前である、
ことを特徴とする請求項２または３に記載の電気光学装置。
【請求項９】
前記データ線駆動部が前記プリチャージ電圧を出力する期間と、前記選択信号が前記所定のデータ線に前記プリチャージ電圧を出力するためにアクティブとなる期間とが略一致する、
ことを特徴とする請求項２または３に記載の電気光学装置。
【請求項１０】
請求項１乃至３のいずれか１項に記載の電気光学装置を備えることを特徴とする電子機器。
【請求項１１】
複数の走査線と、複数のデータ線と、前記複数の走査線および前記複数のデータ線の交差に各々対応して設けられ、前記データ線の電圧を取り込むための画素トランジスターを備えた画素とを含む電気光学装置の制御方法であって、
プリチャージ電圧を前記データ線に出力した後、表示すべき階調に応じた大きさのデータ電圧を前記データ線に出力し、
所定電圧を基準として前記データ電圧の極性を所定周期で反転させ、
前記プリチャージ電圧を前記データ線に出力するタイミングを制御し、前記複数の走査線のいずれかを選択するための走査信号の電圧が前記画素トランジスターをオンさせる選択電圧から前記画素トランジスターをオフさせる非選択電圧へ遷移を開始してから前記プリチャージ電圧を前記データ線に出力するまでの経過時間を、前記データ電圧の極性に応じて変更する、
電気光学装置の制御方法。
【請求項１２】
複数の走査線と、複数のデータ線と、前記複数の走査線および前記複数のデータ線の交差に各々対応して設けられ、前記データ線の電圧を取り込むための画素トランジスターを備えた画素とを含む電気光学装置の制御方法であって、
プリチャージ電圧を前記データ線に出力した後、表示すべき階調に応じた大きさのデータ電圧を前記データ線に出力し、
所定電圧を基準として前記データ電圧の極性を所定周期で反転させ、
スタートパルスおよびクロック信号に基づいて前記画素トランジスターをオンまたはオフに制御する走査信号を生成して前記複数の走査線に出力し、
前記クロック信号が一方のレベルから他方のレベルへ遷移するタイミングから、前記プリチャージ電圧を前記データ線に出力するまでの経過時間を、前記データ電圧の極性に応じて変更する、
電気光学装置の制御方法。
【請求項１３】
複数の走査線と、複数のデータ線と、前記複数の走査線および前記複数のデータ線の交差に各々対応して設けられ、前記データ線の電圧を取り込むための画素トランジスターを備えた画素とを含む電気光学装置の制御方法であって、
プリチャージ電圧を前記データ線に出力した後、表示すべき階調に応じた大きさのデータ電圧を前記データ線に出力し、
所定電圧を基準として前記データ電圧の極性を所定周期で反転させ、
スタートパルスとクロック信号と出力制御信号とに基づいて前記画素トランジスターをオンまたはオフに制御する走査信号を生成して前記複数の走査線に出力し、
前記出力制御信号が一方のレベルから他方のレベルへ遷移するタイミングから、前記プリチャージ電圧を前記データ線に出力するまでの経過時間を、前記データ電圧の極性に応じて変更する、
電気光学装置の制御方法。
【発明の詳細な説明】
【技術分野】
【０００１】
本発明は、液晶装置等の電気光学装置、電気光学装置の制御方法、および電子機器に関する。
【背景技術】
【０００２】
液晶素子を用いて画像を表示させる電気光学装置では、各画素の階調を指定するデータ電圧を、データ線を介して各画素に供給することで、各画素が具備する液晶の透過率をデータ電圧に応じた透過率に制御し、これにより、各画素に指定する階調を表示させる。
【０００３】
ところで、各画素にデータ電圧を供給する時間を十分に確保できない場合等、各画素へのデータ電圧の供給が不十分な場合には、各画素が画像信号の指定する階調を正確に表示することができなくなり、表示品位が低下することがある。このような画素に対するデータ電圧の書込不足による表示品位の低下という問題に対応するために、従来は次のような対策が行われていた。例えば、特許文献１では、各画素やデータ線に対して、データ電圧に近いプリチャージ電圧を、データ電圧を供給するタイミングより前に出力することで、各画素に対するデータ電圧の書き込みを容易にする技術が提案されている。
【０００４】
プリチャージ電圧は、データ電圧の出力前に、予め全てのデータ線に出力される。プリチャージ電圧を出力する期間はプリチャージ期間と呼ばれており、このプリチャージ期間に所定のプリチャージ電圧を書き込むことで、データ電圧の書き込みを補助している。加えて、例えば中間調階調を背景とした表示にウインドウパターン表示を表示した際に顕著に視認される縦クロストークを抑制する効果を有する。
【先行技術文献】
【特許文献】
【０００５】
【特許文献１】国際公開第９９／０４３８５号公報
【発明の概要】
【発明が解決しようとする課題】
【０００６】
ところで、電気光学装置の高解像度化に伴って、１本の走査線に接続されるトランジスター数が増加する傾向にある。このため、走査線に付随する寄生容量が大きくなり、走査線の駆動負荷が増大する。よって、電気光学装置の高解像度化すると、走査線の応答速度が遅くなり、走査線に供給した走査信号の波形が緩やかになる。その結果、Ｎ行（Ｎは自然数）のプリチャージ動作が開始される際に、当該Ｎ行の走査線の直前に選択されたＮ−１行の走査線において、当該Ｎ−１行の走査線の選択が終了していない場合があり、意図しない電圧がＮ−１行の走査線に対応する画素に書き込まれてしまうことがあった。
【０００７】
本発明は、上述した問題に鑑みてなされたものであり、走査線の駆動負荷が増大する場合であっても、プリチャージ動作により、画素に意図しない信号の書込を低減することを課題の一つとする。
【課題を解決するための手段】
【０００８】
上記課題を解決するために本発明の電気光学装置の一態様は、複数の走査線と、複数のデータ線と、前記複数の走査線および前記複数のデータ線の交差に各々対応して設けられ、前記データ線の電圧を取り込むための画素トランジスターを備えた画素と、プリチャージ電圧を出力した後、表示すべき階調に応じた大きさのデータ電圧を出力し、所定電圧を基準として前記データ電圧の極性を所定周期で反転させるデータ線駆動部と、前記プリチャージ電圧を前記データ線に出力するタイミングを制御し、前記複数の走査線のいずれかを選択するための走査信号の電圧が前記画素トランジスターをオンさせる選択電圧から前記画素トランジスターをオフさせる非選択電圧へ遷移を開始してから前記プリチャージ電圧を前記データ線に出力するまでの経過時間を、前記データ電圧の極性に応じて変更する制御部と、を備える。
【０００９】
１本の走査線に接続される画素数が増加すると、走査線に付随する寄生容量が大きくなる。このため走査信号の波形は緩やかなものになる。したがって、走査線に供給する走査信号の波形が、画素トランジスターをオンするための選択電圧から画素トランジスターをオフするための非選択電圧に切り換わったとしても、走査線の電圧は選択電圧から非選択電圧に徐々に変化する。ここで、走査線の電圧が選択電圧から非選択電圧へ遷移中にデータ線に印加されたプリチャージ電圧が、走査線の電圧よりも低いと、当該走査線に対応する画素トランジスターがオンしてしまい、本来、書き込まれるべきでない電圧が画素に書き込まれてしまう可能性がある。この発明によれば、走査信号の電圧が選択電圧から非選択電圧へ遷移を開始してからプリチャージ電圧をデータ線へ出力するまでの経過時間を、データ電圧の極性に応じて変更するので、寄生容量の影響で走査信号の波形が鈍ったとしても、プリチャージ電圧をデータ線に印加することによって、本来、オフとなる画素トランジスターがオンすることを抑制することが可能となる。
【００１０】
本発明の電気光学装置の一態様は、複数の走査線と、複数のデータ線と、前記複数の走査線および前記複数のデータ線の交差に各々対応して設けられ、前記データ線の電圧を取り込むための画素トランジスターを備えた画素と、スタートパルスとクロック信号とに基づいて、前記複数の走査線の各々に走査信号を生成する走査線駆動部と、プリチャージ電圧を出力した後、表示すべき階調に応じた大きさのデータ電圧を出力し、所定電圧を基準として前記データ電圧の極性を所定周期で反転させるデータ線駆動部と、前記データ線へ前記プリチャージ電圧を出力する開始タイミングを指定する選択信号に基づいて、前記データ線駆動部から出力される前記プリチャージ電圧および前記データ電圧を所定のデータ線に出力する選択部と、前記スタートパルスおよび前記クロック信号を前記走査線駆動部に出力し、前記選択信号を前記選択部に出力し、前記クロック信号が一方のレベルから他方のレベルへ遷移するタイミングから、前記選択信号が指定する前記開始タイミングまでの経過時間を、前記データ電圧の極性に応じて変更する制御部と、を備える。
【００１１】
この態様によれば、クロック信号が一方のレベルから他方のレベルへ遷移するタイミングから、前記選択信号が指定する前記開始タイミングまでの経過時間を、データ電圧の極性に応じて変更するので、寄生容量の影響で走査信号の波形が鈍ったとしても、プリチャージ電圧をデータ線に印加することによって、本来、オフとなる画素トランジスターがオンすることを抑制することが可能となる。
【００１２】
本発明の電気光学装置の一態様は、複数の走査線と、複数のデータ線と、前記複数の走査線および前記複数のデータ線の交差に各々対応して設けられ、前記データ線の電圧を取り込むための画素トランジスターを備えた画素と、スタートパルスとクロック信号と出力制御信号とに基づいて、前記複数の走査線の各々に走査信号を出力する走査線駆動部と、プリチャージ電圧を出力した後、表示すべき階調に応じた大きさのデータ電圧を出力し、所定電圧を基準として前記データ電圧の極性を所定周期で反転させるデータ線駆動部と、前記データ線へ前記プリチャージ電圧を出力する開始タイミングを指定する選択信号に基づいて、前記データ線駆動部から出力される前記プリチャージ電圧および前記データ電圧を所定のデータ線に出力する選択部と、前記スタートパルスおよび前記クロック信号と前記出力制御信号を前記走査線駆動部に出力し、前記選択信号を前記選択部に出力し、前記出力制御信号が一方のレベルから他方のレベルへ遷移するタイミングから、前記選択信号が指定する前記開始タイミングまでの経過時間を、前記データ電圧の極性に応じて変更する制御部と、を備える。
【００１３】
この態様によれば出力制御信号が一方のレベルから他方のレベルへ遷移するタイミングから、前記選択信号が指定する前記開始タイミングまでの経過時間を、データ電圧の極性に応じて変更するので、寄生容量の影響で走査信号の波形が鈍ったとしても、プリチャージ電圧をデータ線に印加することによって、本来、オフとなる画素トランジスターがオンすることを抑制することが可能となる。
【００１４】
上述した電気光学装置の一態様において、前記出力制御信号は、前記複数の走査線の各々に出力される走査信号のいずれかがアクティブとなる期間にアクティブとなり、前記出力制御信号が一方のレベルから他方のレベルへ遷移するタイミングは、前記出力制御信号がアクティブから非アクティブに遷移するタイミングであることが好ましい。この場合、出力制御信号が非アクティブになる期間をデータ電圧の極性に応じて調整することによって、本来、オフとなる画素トランジスターがオンすることを抑制することが可能となる。
【００１５】
上述した電気光学装置の一態様において、前記データ電圧が正極性の場合の前記プリチャージ電圧は、前記データ電圧が負極性の場合の前記プリチャージ電圧より高いことが好ましい。データ電圧が正極性の場合には、データ線に所定電圧を上回るデータ電圧が印加されることになる。一方、データ電圧が負極性の場合には、データ線に所定電圧を下回るデータ電圧が印加されることになる。従って、データ電圧の極性に応じてプリチャージ電圧を変更することによって、データ電圧を画素に書き込むことが容易になる。
【００１６】
上述した電気光学装置の一態様において、前記制御部は、前記データ電圧が負極性の場合の前記経過時間を、前記データ電圧が正極性の場合の前記経過時間よりも長くすることが好ましい。データ線にプリチャージ電圧が印加されても、画素トランジスターがオフを維持するには、走査線の電圧が、プリチャージ電圧よりも低くなる必要がある。ここで、データ電圧が負極性の場合のプリチャージ電圧はデータ電圧が正極性の場合のプリチャージ電圧よりも低い。本発明によれば、データ電圧が負極性の場合、データ電圧が正極性の場合と比較して経過時間を長く設定するので、データ電圧が負極性の場合に、走査線の電圧が非選択電圧に近づくことによって画素トランジスターのオフを維持できるまで、プリチャージ電圧を印加するタイミングを遅らせることが可能となる。
【００１７】
上述した電気光学装置の一態様において、前記画素は、一方の端子が前記画素トランジスターに接続され、他方の端子が容量線に接続される保持容量を備え、前記データ電圧が負極性の場合に前記プリチャージ電圧を前記データ線に出力する期間を前記データ電圧が正極性の場合に前記プリチャージ電圧を前記データ線に出力する期間よりも短くすることが好ましい。
【００１８】
プリチャージ動作の結果、データ線との結合容量によって容量線の電圧は変化する。容量線の電圧は一定の電圧に収束するが、データ電圧は容量線の電圧が一定の電圧に収束した後に書き込むことが、正確な階調を表示する観点より好ましい。データ線との結合容量によって生じる容量線の電位変動は負極性のデータ電圧が書き込まれている状態からプリチャージ電圧を書き込む場合の方が、正極性のデータ電圧が書き込まれている状態からプリチャージ電圧を書き込む場合よりも小さい。この発明によれば、負極性のデータ電圧に対応するプリチャージ電圧をデータ線に出力する期間が、正極性のデータ電圧に対応するプリチャージ電圧をデータ線に出力する期間より短いので、容量線の電圧が収束するまでの期間を確保しつつ、データ電圧を書き込む書込期間を長く設定することが可能となる。
【００１９】
上述した電気光学装置の一態様において、前記データ線駆動部が前記プリチャージ電圧の出力を開始するタイミングは、前記選択信号が指定する前記開始タイミングよりも前であることが好ましい。この態様によれば、データ線駆動部からプリチャージ電圧が出力されても選択部は、プリチャージ電圧をデータ線に出力する期間を制限する。
【００２０】
上述した電気光学装置の一態様において、前記データ線駆動部が前記プリチャージ電圧を出力する期間と、前記選択信号が前記所定のデータ線に前記プリチャージ電圧を出力するためにアクティブとなる期間とが略一致してもよい。この態様によれば、データ線駆動部がプリチャージ電圧を出力する期間を選択信号がアクティブとなる期間と略一致させたので、データ線駆動部の消費電力を削減することができる。
【００２１】
次に、本発明に係る電子機器の一態様は、上述した本発明に係る電気光学装置を備える。そのような電子機器は、液晶ディスプレイ、プロジェクター等が該当する。
【００２２】
次に、本発明に係る電気光学装置の制御方法の一態様は、複数の走査線と、複数のデータ線と、前記複数の走査線および前記複数のデータ線の交差に各々対応して設けられ、前記データ線の電圧を取り込むための画素トランジスターを備えた画素とを含む電気光学装置の制御する方法であって、プリチャージ電圧を前記データ線に出力した後、表示すべき階調に応じた大きさのデータ電圧を前記データ線に出力し、所定電圧を基準として前記データ電圧の極性を所定周期で反転させ、前記プリチャージ電圧を前記データ線に出力するタイミングを制御し、前記複数の走査線のいずれかを選択するための走査信号の電圧が前記画素トランジスターをオンさせる選択電圧から前記画素トランジスターをオフさせる非選択電圧へ遷移を開始してから前記プリチャージ電圧を前記データ線に出力するまでの経過時間を、前記データ電圧の極性に応じて変更する。
【００２３】
また、本発明に係る電気光学装置の制御方法の一態様は、複数の走査線と、複数のデータ線と、前記複数の走査線および前記複数のデータ線の交差に各々対応して設けられ、前記データ線の電圧を取り込むための画素トランジスターを備えた画素とを含む電気光学装置の制御する方法であって、プリチャージ電圧を前記データ線に出力した後、表示すべき階調に応じた大きさのデータ電圧を前記データ線に出力し、所定電圧を基準として前記データ電圧の極性を所定周期で反転させ、スタートパルスおよびクロック信号に基づいて前記画素トランジスターをオンまたはオフに制御する走査信号を生成して前記複数の走査線に出力し、前記クロック信号が一方のレベルから他方のレベルへ遷移するタイミングから、前記プリチャージ電圧を前記データ線に出力するまでの経過時間を、前記データ電圧の極性に応じて変更する。
【００２４】
また、本発明に係る電気光学装置の制御方法の一態様は、複数の走査線と、複数のデータ線と、前記複数の走査線および前記複数のデータ線の交差に各々対応して設けられ、前記データ線の電圧を取り込むための画素トランジスターを備えた画素とを含む電気光学装置の制御する方法であって、プリチャージ電圧を前記データ線に出力した後、表示すべき階調に応じた大きさのデータ電圧を前記データ線に出力し、所定電圧を基準として前記データ電圧の極性を所定周期で反転させ、スタートパルスとクロック信号と出力制御信号とに基づいて前記画素トランジスターをオンまたはオフに制御する走査信号を生成して前記複数の走査線に出力し、前記出力制御信号が一方のレベルから他方のレベルへ遷移するタイミングから、前記プリチャージ電圧を前記データ線に出力するまでの経過時間を、前記データ電圧の極性に応じて変更する。
【図面の簡単な説明】
【００２５】
【図１】本発明の一実施形態に係る電気光学装置の説明図である。
【図２】同実施形態に係る電気光学装置の構成を示すブロック図である。
【図３】画素の構成を示す回路図である。
【図４Ａ】走査線駆動回路の構成を示すブロック図である。
【図４Ｂ】走査線駆動回路の動作タイミングを示す図である。
【図５】データ線駆動回路の構成を示すブロック図である。
【図６】正極性駆動時におけるプリチャージ電圧の供給タイミングの一例を示す図である。
【図７Ａ】負極性駆動時におけるプリチャージ電圧の供給タイミングの一例を示す図である。
【図７Ｂ】負極性駆動時におけるプリチャージ電圧の供給タイミングの一例を示す図である。
【図８】容量線を含む画素回路の回路図である。
【図９】正極性駆動時のデータ線の電位の動きと容量線の電位の動きの関係を示す図である。
【図１０】負極性駆動時のデータ線の電位の動きと容量線の電位の動きの関係を示す図である。
【図１１】本発明の第２実施形態におけるプリチャージ電圧の供給タイミングの一例を示す図である。
【図１２Ａ】本発明の第３実施形態におけるプリチャージ電圧の供給タイミングの一例を示す図である。
【図１２Ｂ】同実施形態におけるプリチャージ電圧の供給タイミングの一例を示す図である。
【図１３】電子機器の一例を示す説明図である。
【図１４】電子機器の他の例を示す説明図である。
【図１５】電子機器の他の例を示す説明図である。
【発明を実施するための形態】
【００２６】
＜第１実施形態＞
本発明の第１実施形態について図１から図１０を参照しつつ説明する。図１は電気光学装置１に対する信号伝送系の構成を示す図である。図１に示すように、電気光学装置１は、電気光学パネル１００と、駆動用集積回路（ドライバーＩＣ）２００と、フレキシブル回路基板３００とを備え、電気光学パネル１００が、駆動用集積回路２００の搭載されたフレキシブル回路基板３００に接続されている。電気光学パネル１００は、このフレキシブル回路基板３００および駆動用集積回路２００を介して、図示しないホストＣＰＵ装置に接続されている。駆動用集積回路２００は、ホストＣＰＵ装置からフレキシブル回路基板３００を介して画像信号および駆動制御のための各種の制御信号を受信し、フレキシブル回路基板３００を介して電気光学パネル１００を駆動する装置である。
【００２７】
図２は、電気光学パネル１００及び駆動用集積回路２００の構成を示すブロック図である。図２に示すように、電気光学パネル１００は、画素部１０と、走査線駆動部としての走査線駆動回路２２と、選択部としてのＪ個のデマルチプレクサー５７[１]〜５７[Ｊ]とを備えている（Ｊは自然数）。駆動用集積回路２００は、データ線駆動部としてのデータ線駆動回路３０と、制御部としての制御回路４０と、アナログ電圧生成回路７０とを備えている。
【００２８】
画素部１０には、相互に交差するＭ本の走査線１２とＮ本のデータ線１４とが形成されている（Ｍ，Ｎは自然数）。複数の画素回路（画素）ＰＩＸは、各走査線１２と各データ線１４との交差に対応して設けられており、縦Ｍ行×横Ｎ列の行列状に配列されている。
【００２９】
図３は、各画素回路ＰＩＸの回路図である。図３に示すように、各画素回路ＰＩＸは、液晶素子６０、保持容量Ｃst、およびＴＦＴ（thin film transistor）で構成された画素トランジスターTrを含む。液晶素子６０は、相互に対向する画素電極６２およびコモン電極６４と両電極間の液晶６６とで構成された電気光学素子である。画素電極６２とコモン電極６４との間の印加電圧に応じて液晶６６の透過率（表示階調）が変化する。
保持容量Ｃstは、液晶素子６０と並列に設けられている。保持容量Ｃstの一方の端子は、画素トランジスターTrに接続され、他方の端子は、図示せぬ容量線を介してコモン電極６４に接続されている。画素トランジスターTrは、例えば、走査線１２にゲートが接続されたＮチャネル型のトランジスターで構成され、液晶素子６０とデータ線１４との間に設けられ両者の電気的な接続（導通／非導通）を制御する。走査信号Ｇ[m]が選択電位に設定されることで第ｍ行の各画素回路ＰＩＸにおける画素トランジスターTrが同時にオン状態に遷移する（ｍは、１〜Ｍの自然数）。
【００３０】
画素回路ＰＩＸに対応する走査線１２が選択され、当該画素回路ＰＩＸの画素トランジスターTrがオン状態に制御されたとき、液晶素子６０には、データ線１４から当該画素回路ＰＩＸに供給されるデータ信号Ｄ[n]に応じた電圧が印加される（ｎは１〜Ｊの自然数）。その結果、当該画素回路ＰＩＸの液晶６６は、データ信号Ｄ[n]に応じた透過率に設定される。また、図示しない光源がオン（点灯）状態となり、光源から光が出射されると、当該光は、画素回路ＰＩＸが備える液晶素子６０の液晶６６を透過して、観察者側に進行する。すなわち、液晶素子６０にデータ信号Ｄ[n]に応じた電圧が印加され、且つ、光源がオン状態となることで、当該画素回路ＰＩＸに対応する画素は、データ信号Ｄ[n]に応じた階調を表示することになる。
【００３１】
画素回路ＰＩＸの液晶素子６０にデータ信号Ｄ[n]に応じたデータ電圧が印加された後、画素トランジスターTrがオフ状態となると、理想的には当該データ信号Ｄ[n]に対応するデータ電圧が保持される。従って、理想的には、各画素は、画素トランジスターTrがオン状態となった後から、次にオン状態となるまでの期間において、データ信号Ｄ[n]に応じた階調を表示する。
【００３２】
図３に示すように、データ線１４と画素電極６２との間（または、データ線１４と、画素電極６２及び画素トランジスターTrを電気的に接続する配線との間）には、容量Ｃａが寄生する。そのため、画素トランジスターTrがオフ状態である間に、データ線１４の電位変動が容量Ｃａを介して画素電極６２に伝播し、液晶素子６０のデータ電圧が変動することがある。
【００３３】
また、コモン電極６４には、図示しないコモン線を介して、一定の電圧であるコモン電圧ＬＣＣＯＭが供給される。コモン電圧ＬＣＣＯＭとしては、データ信号Ｄ[n]の振幅の中心電圧に対して−０．５Ｖ程度の電圧が用いられる。これは、画素トランジスターTr等の特性、走査線１２と画素電極６２間の寄生容量、デマルチプレクサー５７を構成するスイッチ５８によるものである。なお本実施形態では、説明の簡便化のためにプッシュダウン電圧は零として記述する。
【００３４】
本実施形態では、いわゆる焼き付きを防止するため、液晶素子６０に印加する電圧の極性を一垂直走査期間（１Ｖ）ごとに反転する極性反転駆動を採用する。この例では、データ線１４を介して画素回路ＰＩＸに供給するデータ信号Ｄ[n]のレベルを、データ信号Ｄ[n]の中心電圧に対して一垂直走査期間（１Ｖ）ごとに反転する。但し、極性を反転させる期間は任意に設定することができ、例えば、一垂直走査期間Ｖの自然数倍であってもよい。本実施形態においては、データ信号Ｄ[n]の電圧が中心電圧（所定電圧）に対して高電圧となる場合を正極性とし、データ信号Ｄ[n]の電圧が中心電圧に対して低電圧となる場合を負極性とする。
【００３５】
説明を図２に戻す。制御回路４０には、図示しない外部のホストＣＰＵ装置から、垂直走査期間Ｖを規定する垂直同期信号Ｖｓ、水平走査期間Ｈを規定する水平同期信号Ｈｓ、ドットクロック信号ＤＣＬＫ等の外部信号が入力される。制御回路４０は、これらの信号に基づいて、走査線駆動回路２２およびデータ線駆動回路３０を同期制御する。この同期制御の下、走査線駆動回路２２及びデータ線駆動回路３０は、互いに協働して画素部１０の表示制御を行う。また、制御回路４０は、走査線駆動回路２２にスタートパルスＳＰとクロック信号ＣＫ及び出力制御信号ＥＮを出力する。この例のクロック信号ＣＫの１周期は水平走査期間Ｈとなっている。出力制御信号ＥＮは、アクティブ（この例ではハイレベル）になると、走査信号Ｇ［１］〜Ｇ［Ｍ］がアクティブとなることを許可する。出力制御信号ＥＮは、非アクティブ（この例ではローレベル）になると、走査信号号Ｇ［１］〜Ｇ［Ｍ］がアクティブとなることを禁止する。出力制御信号ＥＮは、複数の走査線１２の各々に出力される走査信号Ｇ［１］〜Ｇ［Ｍ］のいずれかがアクティブとなる期間にアクティブとなる。
通常、一つの表示画面を構成する表示データはフレーム単位で処理され、この処理期間が１フレーム期間（１Ｆ）である。フレーム期間Ｆは、一つの表示画面が１回の垂直走査で構成される場合、垂直走査期間Ｖに相当する。
【００３６】
走査線駆動回路２２は、スタートパルスＳＰ、クロック信号ＣＫ及び出力制御信号ＥＮに基づいて、走査信号Ｇ［１］〜Ｇ［Ｍ］を生成し、Ｍ本の走査線１２の各々に出力する。図４Ａに走査線駆動回路２２の回路図を示し、図４Ｂに走査線駆動回路２２のタイミングチャートを示す。
【００３７】
図４Ａに示すように走査線駆動回路２２は、シフトレジスター２３と、Ｍ個のアンド回路２４［１］〜２４［Ｍ］と、Ｍ個のレベルシフターＬＳ［１］〜ＬＳ［Ｍ］とを備える。
シフトレジスター２３は、スタートパルスＳＰをクロック信号ＣＫに従ってシフトしてシフト信号ＳＲ［１］〜ＳＲ［Ｍ］を生成する。シフトレジスター２３は、例えば、Ｄ フリップフロップを多段接続して構成することができる。ｍ番目のシフト信号ＳＲ［ｍ］は、アンド回路２４［ｍ］の一方の入力端子に供給される。アンド回路２４［ｍ］の他方の入力端子には、出力制御信号ＥＮが供給される。アンド回路２４［ｍ］はシフト信号ＳＲ［ｍ］と出力制御信号ＥＮとの論理積を演算する。レベルシフターＬＳ［ｍ］はアンド回路２４［ｍ］の出力信号をレベルシフトして走査信号Ｇ［ｍ］をｍ番目の走査線１２に出力する。なお、この例では、出力制御信号ＥＮを一つ使用するが、信号応答等の問題で複数の出力制御信号ＥＮを用いてもよい。なお説明のためにアンド回路２４［ｍ］、レベルシフターＬＳ［ｍ］による信号遅延はないものとして説明する。
【００３８】
この結果、走査線駆動回路２２は、水平同期信号Ｈｓに同期して、垂直走査期間Ｖ内に各走査線１２に対する走査信号Ｇ［１］〜Ｇ［Ｍ］を一水平走査期間（１Ｈ）毎に順次アクティブとする。但し、この例において、走査信号Ｇ［１］〜Ｇ［Ｍ］は、一水平走査期間のうち一部の選択期間で選択電圧となり、それ以外の非選択期間においては非選択電圧となる。画素トランジスターTrに選択電圧が供給されると、画素トランジスターTrはオン状態となり、画素トランジスターTrに非選択電圧が供給されると、画素トランジスターTrはオフ状態となる。
【００３９】
ここで、第ｍ行に対応した走査信号Ｇ［ｍ］の電圧が選択電圧となり、当該行に対応した走査線１２が選択されている選択期間は、第ｍ行のＮ個の画素回路ＰＩＸの各画素トランジスターTrがオン状態となる。その結果、これらの画素トランジスターTrを各々介してＮ本のデータ線１４が第ｍ行のＮ個の画素回路ＰＩＸの各画素電極６２に各々電気的に接続される。
【００４０】
本実施形態では、画素部１０内のＮ本のデータ線１４は、相隣接する４本を単位としてＪ個の配線ブロックＢ［１］〜Ｂ［Ｊ］に区分されている（Ｊ＝Ｎ／４）。換言すると、データ線１４は配線ブロックＢ毎にグループ化される。デマルチプレクサー５７[１]〜５７[Ｊ]は、このＪ個の配線ブロックＢ［１］〜Ｂ［Ｊ］に各々対応している。後述するように、本実施形態では、データ線１４を４本単位で区分しているので、データ信号Ｄ[ｎ]は、４画素分のデータ電圧が含まれる。
【００４１】
選択部としてのデマルチプレクサー５７［ｊ］の各々は、４個のスイッチ５８［１］〜５８［４］により構成されている（ｊは１〜Ｊの自然数）。デマルチプレクサー５７［ｊ］の各々において、４個のスイッチ５８［１］〜５８［４］の各々の一方の接点は共通接続されている。そして、デマルチプレクサー５７［ｊ］の各々の４個のスイッチ５８［１］〜５８［４］の一方の接点の共通接続点は、Ｊ本のＶＩＤ信号線１５に各々接続されている。このＪ本のＶＩＤ信号線１５は、フレキシブル回路基板３００を介して駆動用集積回路２００のデータ線駆動回路３０に接続されている。スイッチ５８［１］〜５８［４］は例えばＮチャネル型のトランジスターで構成される。
また、デマルチプレクサー５７［ｊ］の各々において、４個のスイッチ５８［１］〜５８［４］の各々の他方の接点は、当該デマルチプレクサー５７［ｊ］に対応した配線ブロックＢ［ｊ］を構成する４本のデータ線１４に各々接続されている。
【００４２】
各デマルチプレクサー５７［ｊの４個のスイッチ５８［１］〜５８［４］のオン／オフは、４個の選択信号Ｓ１〜Ｓ４により各々切り換えられる。この４個の選択信号Ｓ１〜Ｓ４は、フレキシブル回路基板３００を介して駆動用集積回路２００の制御回路４０から供給される。選択信号Ｓ１〜Ｓ４はデータ線１４へプリチャージ電圧を出力する開始タイミングを指定する。ここで、例えば１個の選択信号Ｓ１がアクティブレベル、他の３個の選択信号Ｓ２〜Ｓ４が非アクティブレベルである場合には、デマルチプレクサー５７［ｊ］に各々属するＪ個のスイッチ５８［１］のみがオンとなる。従って、デマルチプレクサー５７［ｊ］の各々は、Ｊ本のＶＩＤ信号線１５上のデータ信号Ｄ［１］〜Ｄ［Ｊ］を各配線ブロックＢ[１]〜Ｂ[Ｊ]の１番目のデータ線１４に各々出力する。以下、同様にして、Ｊ本のＶＩＤ信号線１５上のデータ信号Ｄ［１］〜Ｄ［Ｊ］を各配線ブロックＢ[１]〜Ｂ[Ｊ]の２番目、３番目、４番目のデータ線１４に各々出力する。
【００４３】
制御回路４０は、フレームメモリーを備えており、画素部１０の解像度に相当するＭ×Ｎビットのメモリー空間を少なくとも有し、図示しない外部のホストＣＰＵ装置から入力される表示データをフレーム単位で格納・保持する。ここで、画素部１０の階調を規定する表示データは、一例として、６ビットで構成される６４階調のデータである。フレームメモリーより読み出された表示データは、６ビットのバスを介して、画像信号としてデータ線駆動回路３０にシリアルに転送される。
なお、制御回路４０は、少なくとも１ライン分のラインメモリーを備える構成であってもよい。この場合、前記ラインメモリーに、１ライン分の表示データを蓄えて、当該表示データを画像信号として各画素に転送することになる。
【００４４】
データ線駆動部としてのデータ線駆動回路３０は、走査線駆動回路２２と協働して、データの書込対象となる画素行毎に供給すべきデータ信号をデータ線１４に出力する。データ線駆動回路３０は、制御回路４０から出力される選択信号Ｓ１〜Ｓ４に基づいてラッチ信号を生成し、シリアルデータとして供給されたプリチャージ信号およびＮ個の６ビットの画像信号を順次ラッチする。画像信号は、４画素分ごとに時系列的な信号としてグループ化される。
【００４５】
図５は、データ線駆動回路３０の構成を示すブロック図である。データ線駆動回路３０には、図５に示すように、Ｄ／Ａ（Digital to Analog）変換回路３０１と、電圧増幅部３０２と、極性反転部３０３とを備える。Ｄ／Ａ変換回路３０１は、グループ化された画像信号と、アナログ電圧生成回路７０によって生成され、極性反転部３０３によって電圧値が設定されたアナログ電圧とに基づいて、Ｄ／Ａ変換を行う。さらに電圧増幅部３０２は、Ｄ／Ａ変換により生成された電圧の増幅を行って所定のアナログ電圧を有するデータ信号を生成する。これにより、４画素単位で時系列化された画像信号は、所定のデータ電圧を有するデータ信号Ｄ[n]に変換される。また、プリチャージ信号は、同様にして所定のプリチャージ電圧を有するプリチャージデータ信号ＰＤに変換され、そして、プリチャージデータ信号ＰＤと４画素分のデータ信号Ｄ[n]との組は、この順序で、データ信号Ｄ[n]の電圧とプリチャージ電圧として、各ＶＩＤ信号線１５に供給される。
【００４６】
極性反転部３０３は、データ信号Ｄ[n]の電圧の極性を、一垂直走査期間Ｖ毎に反転する。具体的には、極性反転部３０３は、データ信号Ｄ[n]の電圧を、データ信号Ｄ[n]の中心電圧に対して垂直走査期間Ｖごとに反転する。但し、極性を反転させる期間は任意に設定することができ、例えば、垂直走査期間Ｖの自然数倍であってもよい。本実施形態においては、データ信号Ｄ[n]が中心電圧に対して高電圧となる場合を正極性とし、データ信号Ｄ[n]が中心電圧に対して低電圧となる場合を負極性とする。極性反転部３０３は、所定周期でデータ電圧の極性を反転する。
【００４７】
また、極性反転部３０３は、データ電圧の極性が正極性の場合、プリチャージ電圧として第１プリチャージ電圧Ｖppを出力し、データ電圧の極性が負極性の場合、プリチャージ電圧として第２プリチャージ電圧Ｖpmを出力する。即ち、データ電圧が正極性の場合のプリチャージ電圧の電圧値と、データ電圧が負極性の場合のプリチャージ電圧の電圧値とは相違する。これは各極性におけるデータ電圧のレンジが異なるために、予備書き込みの効果と縦クロスークを抑制する効果の両方を得られる最適電圧が異なるからである。なお、以下の説明において、第１プリチャージ電圧Ｖppと第２プリチャージ電圧Ｖpmとを区別する必要がない場合には、単にプリチャージ電圧と記載する。
【００４８】
デマルチプレクサー５７［ｊ］の各スイッチ５８［１］〜５８［４］は、制御回路４０から出力される選択信号Ｓ１〜Ｓ４によって導通制御（オン／オフ）され、所定のタイミングでオンする。プリチャージ信号の印加期間においては、制御回路４０から出力される選択信号Ｓ１〜Ｓ４によって導通制御され、デマルチプレクサー５７［ｊ］の各スイッチ５８［１］〜５８［４］は、一斉にオンする。
これによって、一水平走査期間（１Ｈ）において、各ＶＩＤ信号線１５に供給されたプリチャージデータ信号ＰＤと４画素分のデータ信号Ｄ[n]とは、スイッチ５８［１］〜５８［４］により時系列的にデータ線１４に出力される。
【００４９】
本実施形態では、極性反転駆動を採用している。プリチャージとは、データ線１４にデータ信号Ｄ[n]のデータ電圧を書き込む前に、データ線１４に所定の電圧を書き込むことをいう。前述のとおり、データ電圧の極性が正極性である場合のプリチャージ電圧を第１プリチャージ電圧Ｖppであり、データ電圧の極性が負極性である場合のプリチャージ電圧を第２プリチャージ電圧Ｖpmである。例えば、正極性駆動における第１プリチャージ電圧Ｖppは４．０Ｖに、また、中心電圧Ｖｃは７．５Ｖに設定されている。コモン電圧ＬＣＣＯＭは７．５Ｖに設定されている。負極性駆動における第２プリチャージ電圧Ｖpmは２．０Ｖに設定されている。即ち、データ電圧が正極性の場合の第１プリチャージ電圧Ｖppは、データ電圧が負極性の場合の第２プリチャージ電圧Ｖpmより高い。
なお、本実施形態では、制御回路４０により、極性反転駆動における負極性駆動時のプリチャージデータ信号ＰＤの供給タイミングを、正極性駆動時のプリチャージデータ信号ＰＤの供給タイミングよりも遅らせる制御を行っている。
【００５０】
ここで、第ｍ行の走査線１２に供給される走査信号Ｇ［ｍ］と、プリチャージ電圧の供給タイミングの関係について図６から図１０を参照しつつ説明する。図６は、正極性駆動時における第１プリチャージ電圧Ｖppの供給タイミングを示す図である。図７Ａは、負極性駆動時における第２プリチャージ電圧Ｖpmの供給タイミング示す図である。図８は、容量線１６を含む画素回路ＰＩＸの回路図である。図９は、正極性駆動時のデータ線１４の電位の動きと容量線１６の電位の動きの関係を示す図である。図１０は、負極性駆動時のデータ線１４の電位の動きと容量線１６の電位の動きの関係を示す図である。
【００５１】
図６に示すように、第ｍ行の走査線１２に供給される走査信号Ｇ［ｍ］は、選択期間において第ｍ行の走査線１２を選択する選択電圧ＶＧＨとなり、非選択期間において第ｍ行の走査線１２を非選択とする非選択電圧ＶＧＬ（０Ｖ）とに切り換えられる。しかしながら、本実施形態のように画素数の多い高解像度の電気光学パネル１００では、走査線１２の寄生容量が増大する。図８に示すように、走査線１２には、走査線１２と容量線１６との間の容量Ｃ２、走査線１２とデータ線１４との間の容量Ｃ３が存在する。したがって、画素数が増大するほど、それぞれの走査線１２の寄生容量は増大することになる。そのため、図６に示すように、第ｍ水平走査期間終了時であるタイミングｔ０において走査信号Ｇ［ｍ］の電圧は、非選択電圧ＶＧＬ（０Ｖ）に到達しておらず、選択電圧ＶＧＨから非選択電圧ＶＧＬ（０Ｖ）への遷移中の電圧となる。
【００５２】
正極性駆動時においては、第ｍ水平走査期間終了時であるタイミングｔ０で第１プリチャージ電圧Ｖppをデータ線１４に供給したとしても、タイミングｔ０における走査信号Ｇ［ｍ］の電圧は、第１プリチャージ電圧Ｖppよりも小さな値となっている。したがって、タイミングｔ０においてプリチャージ電圧Ｖppをデータ線１４に供給したとしても、画素回路ＰＩＸの画素トランジスターTrのゲート−ソース間電圧Ｖｇｓは負の値となる。このため、第ｍ行の画素トランジスターTrは、タイミングｔ０においてオフしている。したがって、第(ｍ＋１)水平走査期間開始時であるタイミングｔ０においてデータ線１４に第１プリチャージ電圧Ｖppを供給しても、第ｍ行の走査線１２に対応する画素回路ＰＩＸの画素トランジスターTrはオン状態とならない。
【００５３】
しかし、負極性駆動時においては、図７Ａに示すように、第ｍ水平走査期間終了時であるタイミングｔ０で第２プリチャージ電圧Ｖpmをデータ線１４に供給すると、走査信号Ｇ［ｍ］のタイミングｔ０における遷移中の電圧は、第２プリチャージ電圧Ｖpmよりも大きな値となっている。したがって、タイミングｔ０において第２プリチャージ電圧Ｖpmをデータ線１４に供給すると、第ｍ行の走査線１２に対応する画素回路ＰＩＸの画素トランジスターTrはオン状態となる。その結果、第ｍ＋１行の走査線１２に対応する画素回路ＰＩＸの階調に応じたデータ電圧の書き込み前に供給する第２プリチャージ電圧Ｖpmが、第ｍ行の走査線１２に対応する画素回路ＰＩＸに書き込まれたデータ電圧を変動させてしまい、画像品質が低下する。
【００５４】
そこで、本実施形態では、図７Ａに示すように、第(ｍ＋１)水平走査期間においては、データ線１４に対する第２プリチャージ電圧Ｖpmの供給タイミングを、第ｍ行の走査線１２に供給される走査信号Ｇ［ｍ］の電圧が、非選択電圧ＶＧＬに到達するタイミングであるタイミングｔ１となるように、制御回路４０は、選択信号Ｓ１〜Ｓ４をオン状態とする。つまり、本実施形態においては、負極性駆動時の第２プリチャージ電圧Ｖpmの供給タイミングを、第ｍ水平走査期間終了のタイミングであるタイミングｔ０よりも遅らせている。このように制御することにより、タイミングｔ１においては、走査信号Ｇ［ｍ］の電圧は、第２プリチャージ電圧Ｖpmよりも小さな値となる。したがって、タイミングｔ１において第２プリチャージ電圧Ｖpmをデータ線１４に供給しても、第ｍ行の走査線１２に対応する画素回路ＰＩＸの画素トランジスターTrはオン状態とはならない。その結果、第ｍ＋１行の走査線１２に対応する画素回路ＰＩＸの階調に応じたデータ電圧の書き込み前に供給する第２プリチャージ電圧Ｖpmが、第ｍ行の走査線１２に対応する画素回路ＰＩＸに書き込まれたデータ電圧を変動させることがなく、良好な表示品質を保つことができる。
換言すれば、制御回路４０は、第ｍ行の走査線１２に出力される走査信号Ｇ［ｍ］がタイミングｔｘにおいて選択電圧ＶＧＨから非選択電圧ＶＧＬへ遷移を開始してから、プリチャージ電圧をデータ線１４に出力するまでの経過時間を、データ電圧の極性に応じて変更している。
【００５５】
ここで、第ｍ行の走査線１２に出力される走査信号Ｇ［ｍ］が選択電圧ＶＧＨから非選択電圧ＶＧＬへ遷移を開始するタイミングｔｘは、出力制御信号ＥＮがアクティブから非アクティブに遷移するタイミングｔｄｅと一致する。即ち、制御回路４０は、出力制御信号ＥＮが一方のレベルから他方のレベルへ遷移するタイミング（図６、図７Ａに示すｔｕ１又はｔｄｅ）から、プリチャージ電圧をデータ線１４に出力するまでの経過時間を、データ電圧の極性に応じて変更している。
【００５６】
より詳細には、制御回路４０は、出力制御信号ＥＮがアクティブから非アクティブに遷移するタイミング（図６、図７Ａに示すｔｄｅ）から、プリチャージ電圧をデータ線１４に出力するまでの経過時間を、データ電圧の極性に応じて変更している。
また、制御回路４０は、負極性のデータ電圧を画素回路ＰＩＸに書き込む場合の経過時間Ｔｍ（図７Ａ参照）を、正極性のデータ電圧を書き込む場合の経過時間Ｔｐ（図６参照）よりも長くしている。
【００５７】
ところで、図６に示すタイミングｔ０は、データ電圧が正極性の場合に、選択信号Ｓ１〜Ｓ４が指定するデータ線１４へプリチャージ電圧を出力する開始タイミングであり、図７Ａに示すタイミングｔ１は、データ電圧が正極性の場合に、選択信号Ｓ１〜Ｓ４が指定するデータ線１４へプリチャージ電圧を出力する開始タイミングである。また、図６および図７Ａに示す第ｍ行の走査信号Ｇ［ｍ］は、スタートパルスＳＰをクロック信号ＣＫに従ってシフトすることによって得られる。従って、制御回路４０は、クロック信号ＣＫが一方のレベルから他方のレベルへ遷移するタイミング（図６および図７Ａに示すｔｕ１またはｔｄ１）から、選択信号Ｓ１〜Ｓ４が指定するデータ線１４へプリチャージ電圧を出力する開始タイミングまでの経過時間を、データ電圧の極性に応じて変更している。
【００５８】
以上のようなプリチャージ電圧の供給制御を行うことにより、図７Ａに示す負極性駆動時のプリチャージ期間Ｔpmは、図６に示す正極性駆動時のプリチャージ期間Ｔppよりも短くなる。プリチャージ期間の確保は、容量線１６の電位の安定のために必要になるが、負極性駆動時における容量線の電位の変動は、正極性駆動時における容量線の電位の変動よりも小さいため、負極性駆動時のプリチャージ期間Ｔpmを正極性駆動時のプリチャージ期間Ｔppよりも短くすることができ、良好な表示品質を保つことができる。ところで負極性駆動時のプリチャージ電圧Vpmは正極性駆動時のプリチャージ電圧Vppよりも低い。したがって画素回路ＰＩＸの画素トランジスターTrとデマルチプレクサー５７［ｊ］のスイッチ５８［１］〜５８［４］にＮチャンネル型のトランジスターを用いた場合では、負極性駆動時には正極性駆動時よりもゲート電圧を大きくしてプリチャージ電圧を書きこむ動作になる。この点もプリチャージ期間Tppを短くできる理由である。
【００５９】
また、図７Ａに示す例では、データ線駆動回路３０は、少なくとも第ｍ水平走査期間が開始するタイミングｔ０からプリチャージ期間Ｔpmが終了するタイミングｔ２までの期間、プリチャージ電圧を出力し、デマルチプレクサー５７は、プリチャージ期間Ｔpmにおいてデータ線駆動回路３０から出力されるプリチャージデータ信号ＰＤをデータ線１４に出力する。データ線駆動回路３０がプリチャージデータ信号ＰＤの出力を開始するタイミングｔ０は、選択信号Ｓ１〜Ｓ４が指定する開始タイミングｔ１よりも前である。
【００６０】
図８に示すように、データ線１４と容量線１６とはカップリングコンデンサーＣ１によりカップリングされており、容量線１６は画素回路ＰＩＸの保持容量Ｃstとも接続されている。容量線１６は各種要因による外部抵抗Ｒｅｘや容量線１６自体の配線抵抗Ｒｃを介して電源ＬＣＣＯＭに接続されているので、ある時定数を持った電位挙動を示す。したがって、データ線１４の電位が変動すると、容量線１６の電位も前記時定数に基づきながら変動する。図９に示すように、正極性駆動時のプリチャージ期間Ｔppにおいては、データ線１４の電位は、最大でデータ電圧の最大値から第１プリチャージ電圧Ｖppまで変動する。この場合、容量線１６の電位は、コモン電圧ＬＣＣＯＭから一旦大きく低下し、再びコモン電圧ＬＣＣＯＭに戻るように変動する。しかし、図１０に示すように、負極性駆動時のプリチャージ期間Ｔpmにおいては、データ電圧の最大値であるコモン電圧ＬＣＣＯＭと第２プリチャージ電圧Ｖpmとの電圧差が、正極性駆動時におけるデータ電圧の最大値と第１プリチャージ電圧Ｖppとの電圧差よりも小さい。その結果、負極性駆動時のプリチャージ期間Ｔpmにおける容量線１６の電位の変動は、正極性駆動時のプリチャージ期間Ｔppにおける容量線１６の電位の変動よりも小さくなる。したがって、負極性駆動時のプリチャージ期間Ｔpmを、正極性駆動時のプリチャージ期間Ｔppよりも短くしても、容量線１６の電位は安定し、所望のデータ電圧を画素回路ＰＩＸに書き込むことにより、良好な表示品質を保つことができる。
【００６１】
なお、負極性駆動時において、図７ＡＢに示すように、第ｍ水平走査期間終了時であるタイミングｔ０で第２プリチャージ電圧Ｖpmをデータ線１４に供給しても走査信号Ｇ［ｍ］のタイミングｔ０における電圧が、第２プリチャージ電圧Ｖpmよりも大きな値となっている。したがって、タイミングｔ０において第２プリチャージ電圧Ｖpmをデータ線１４に供給すると、第ｍ行の走査線１２に対応する画素回路ＰＩＸの画素トランジスターTrはオン状態となる。その結果、第ｍ＋１行の走査線１２に対応する画素回路ＰＩＸの階調に応じたデータ電圧の書き込み前に供給する第２プリチャージ電圧Ｖpmが、第ｍ行の走査線１２に対応する画素回路ＰＩＸに書き込まれたデータ電圧を変動させてしまい、画像品質が低下する。
【００６２】
そこで、本実施形態では、図７Ａに示すように、第(ｍ＋１)水平走査期間においては、データ線１４に対する第２プリチャージ電圧Ｖpmの供給タイミングを、第ｍ行の走査線１２に供給される走査信号Ｇ［ｍ］の電圧が、非選択電圧ＶＧＬに到達するタイミングであるタイミングｔ１となるように、制御回路４０は、選択信号Ｓ１〜Ｓ４をオン状態とする。つまり、本実施形態においては、負極性駆動時の第２プリチャージ電圧Ｖpmの供給タイミングを、第ｍ水平走査期間終了のタイミングであるタイミングｔ０よりも遅らせている。このように制御することにより、タイミングｔ１においては、走査信号Ｇ［ｍ］の電圧は、第２プリチャージ電圧Ｖpmよりも小さな値となる。したがって、タイミングｔ１において第２プリチャージ電圧Ｖpmをデータ線１４に供給しても、第ｍ行の走査線１２に対応する画素回路ＰＩＸの画素トランジスターTrはオン状態とはならない。その結果、第ｍ＋１行の走査線１２に対応する画素回路ＰＩＸの階調に応じたデータ電圧の書き込み前に供給する第２プリチャージ電圧Ｖpmが、第ｍ行の走査線１２に対応する画素回路ＰＩＸに書き込まれたデータ電圧を変動させることがなく、良好な表示品質を保つことができる。
換言すれば、制御回路４０は、第ｍ行の走査線１２に出力される走査信号Ｇ［ｍ］がタイミングｔｘにおいて選択電圧ＶＧＨから非選択電圧ＶＧＬへ遷移を開始してから、プリチャージ電圧をデータ線１４に出力するまでの経過時間を、データ電圧の極性に応じて変更している。
【００６３】
ここで、第ｍ行の走査線１２に出力される走査信号Ｇ［ｍ］が選択電圧ＶＧＨから非選択電圧ＶＧＬへ遷移を開始するタイミングｔｘは、出力制御信号ＥＮがアクティブから非アクティブに遷移するタイミングｔｄｅと一致する。即ち、制御回路４０は、出力制御信号ＥＮが一方のレベルから他方のレベルへ遷移するタイミング（図６、図７Ａに示すｔｕ１又はｔｄｅ）から、プリチャージ電圧をデータ線１４に出力するまでの経過時間を、データ電圧の極性に応じて変更している。
【００６４】
より詳細には、制御回路４０は、出力制御信号ＥＮがアクティブから非アクティブに遷移するタイミング（図６、図７Ａに示すｔｄｅ）から、プリチャージ電圧をデータ線１４に出力するまでの経過時間を、データ電圧の極性に応じて変更している。
また、制御回路４０は、負極性のデータ電圧を画素回路ＰＩＸに書き込む場合の経過時間Ｔｍ（図７Ａ参照）を、正極性のデータ電圧を書き込む場合の経過時間Ｔｐ（図６参照）よりも長くしている。
【００６５】
上述した負極性駆動の例では、図７Ａに示すように第ｍ+１水平走査期間においてプリチャージ電圧がデータ線１４に印加されるタイミングは、第ｍ+１水平走査期間が開始するタイミングｔ0より遅れたタイミングｔ１であった。プリチャージ電圧をデータ線１４へ印加することをタイミングｔ１から開始したのは、タイミングｔ１において第ｍ番目の走査線１２の電圧がプリチャージ電圧との関係で画素トランジスターTrのオフを維持できるようにするためである。従って、プリチャージ電圧のデータ線１４への印加を開始するタイミングにおいて、第ｍ番目の走査線１２の電圧が画素トランジスターTrのオフを維持できる電圧であれば、プリチャージ電圧のデータ線１４への印加を開始するタイミングは、タイミングｔ１よりも前であってもよい。
【００６６】
図７Ｂは、負極性駆動時におけるプリチャージ電圧の供給タイミングの一例を示す図である。走査信号Ｇ［ｍ］が選択電圧ＶＧＨから非選択電圧ＶＧＬへ遷移を開始すると共に
出力制御信号ＥＮがアクティブから非アクティブに遷移するタイミングｔｘは、正極性駆動時（図６参照）よりも前に設定されている。従って、負極性駆動時には第ｍ行の走査線１２の電圧が降下する時間を正極性駆動時と比較して長くとることができる。
即ち、制御回路４０は、出力制御信号ＥＮがアクティブから非アクティブに遷移するタイミングｔｘから選択信号Ｓ１〜Ｓ４が指定するデータ線へプリチャージ電圧を出力する開始タイミングまでの経過時間を、データ電圧の極性に応じて変更する。
【００６７】
以上のように、本実施形態によれば、負極性駆動時においては、ある走査線１２を選択する際のプリチャージ電圧Ｖpmの供給タイミングを、直前に選択された走査線１２の電圧が非選択電圧に到達するタイミングとなるように制御を行う。このように制御を行うことにより、書き込みが終了した画素回路ＰＩＸの電位に影響を与えずに、良好な表示品質を保つことができる。
【００６８】
＜第２実施形態＞
次に、本発明の第２実施形態について図１１を参照しつつ説明する。図１１は、本実施形態におけるプリチャージ電圧の供給タイミングを示す図である。本実施形態は、極性反転を一垂直走査期間（１Ｖ）ごとに行うのではなく、一水平走査期間（１Ｈ）ごとに行う。図１１に示す例では、第ｍ水平走査期間において正極性駆動が行われ、第(ｍ＋１)水平走査期間において負極性駆動が行われる。この場合でも、負極性駆動が行われる第(ｍ＋１)水平走査期間においては、第２プリチャージ電圧Ｖpmの供給タイミングを、第ｍ水平走査期間終了のタイミングであるタイミングｔ０よりも遅らせる。つまり、第２プリチャージ電圧Ｖpmの供給タイミングを、第ｍ行の走査線１２に供給される走査信号Ｇ［ｍ］の電圧が非選択電圧ＶＧＬに到達するタイミングとなるように、制御回路４０は選択信号Ｓ１〜Ｓ４をオン状態とする。
【００６９】
以上のように、一水平走査期間ごとに極性反転を行う場合であっても、負極性駆動時においては、ある走査線１２を選択する際の第２プリチャージ電圧Ｖpmの供給タイミングを、直前に選択された走査線１２の電圧が非選択電圧に到達するタイミングとなるように制御を行う。このように制御を行うことにより、書き込みが終了した画素回路ＰＩＸの電位に影響を与えずに、良好な表示品質を保つことができる。
【００７０】
＜第３実施形態＞
次に、本発明の第３実施形態について図１２Ａを参照しつつ説明する。図１２Ａは、本実施形態における負極性駆動時の第２プリチャージ電圧Ｖpmの供給タイミングの一例を示す図である。本実施形態は、第１実施形態と同様に、極性反転を一水平走査期間（１Ｖ）ごとに行う。図１２Ａに示すように、本実施形態においても、プリチャージ期間Ｔpmに選択信号Ｓ１〜Ｓ４をオン状態とするタイミングを、第ｍ行の走査線１２に供給される走査信号Ｇ［ｍ］の電圧が非選択電圧ＶＧＬに到達するタイミングであるタイミングｔ１とする。さらに、本実施形態においては、制御回路４０は、プリチャージ期間Ｔpmにプリチャージデータ信号ＰＤを出力するようにデータ線駆動回路３０を制御する。即ち、データ線駆動回路３０がプリチャージ電圧を出力する期間と、選択信号Ｓ１〜Ｓ４がデータ線１４にプリチャージ電圧を出力するためにアクティブ（この例ではハイレベル）となる期間とが略一致する。
【００７１】
この結果、本実施形態においては、ある走査線１２を選択する際の負極性駆動時におけるプリチャージ期間Ｔpmの開始タイミングを、直前に選択された走査線１２の電圧が非選択電圧に到達するタイミングとなるように制御を行う。このように制御を行うことにより、書き込みが終了した画素回路ＰＩＸの電位に影響を与えずに、良好な表示品質を保つことができる。また、本実施形態によれば、デマルチプレクサー５７がオン状態となり、データ線１４とデータ線駆動回路３０の出力端子とが接続されるプリチャージ期間Ｔpmに限ってデータ線駆動回路３０はプリチャージ電圧を出力する。よって、データ線駆動回路３０の動作時間を短縮することにより、消費電力を削減することができ、データ線駆動回路３０の発熱量を抑制して信頼性を向上させることができる。
【００７２】
また、上述した例では、図１２Ａに示すように第ｍ+１水平走査期間においてプリチャージ電圧がデータ線１４に印加されるタイミングは、第ｍ+１水平走査期間が開始するタイミングｔ0より遅れたタイミングｔ１であった。しかしながら、図１２Ｂに示すように第ｍ+１水平走査期間においてプリチャージ電圧がデータ線１４に印加されるタイミングを第ｍ+１水平走査期間が開始するタイミングｔ0と一致させてもよい。
この場合、走査信号Ｇ［ｍ］が選択電圧ＶＧＨから非選択電圧ＶＧＬへ遷移を開始すると共に出力制御信号ＥＮがアクティブから非アクティブに遷移するタイミングｔｘは、正極性駆動時（図６参照）よりも前に設定される。従って、負極性駆動時には第ｍ行の走査線１２の電圧が降下する時間を正極性駆動時と比較して長くとることができる。
即ち、制御回路４０は、出力制御信号ＥＮがアクティブから非アクティブに遷移するタイミングｔｘから選択信号Ｓ１〜Ｓ４が指定するデータ線へプリチャージ電圧を出力する開始タイミングまでの経過時間を、データ電圧の極性に応じて変更する。
【００７３】
＜変形例＞
本発明は、上述した各実施形態に限定されるものではなく、例えば、以下に述べる各種の変形が可能である。また、各実施形態及び各変形例を適宜組み合わせてもよいことは勿論である。
【００７４】
（１）上述した実施形態では、画素回路ＰＩＸの画素トランジスターTrとして、Ｎチャンネル型のトランジスターを用いた。そして、極性反転駆動の一方の極性である負極性駆動時に、ある走査線１２を選択する際のプリチャージ期間の開始タイミングを、直前に選択された走査線１２の電圧が非選択電圧に到達するタイミングとなるように制御を行った。しかし、本発明はこのような態様に限定されない。例えば、画素回路ＰＩＸの画素トランジスターTrとして、Ｐチャンネル型のトランジスターを用い、プリチャージ電圧が、正極性駆動時において、ある走査線１２の直前に選択された走査線１２における一水平走査期間の終了時の遷移中の電圧よりも小さくなる場合にも適用可能である。この場合には、正極性駆動時において、ある走査線１２を選択する際のプリチャージ電圧の供給タイミングを、直前に選択された走査線１２の電圧が非選択電圧に到達するタイミングとなるように制御を行えばよい。
【００７５】
（２）上述した実施形態においては、プリチャージ期間の電圧を一定とする態様について説明したが、本発明はこのような態様に限定される訳ではない。例えば、プリチャージ期間に１段目のプリチャージと２段目のプリチャージとを行う、いわゆる２段プリチャージに対しても適用可能である。この場合には、ある走査線１２を選択する際の負極性駆動時の１段目のプリチャージ電圧の供給タイミングを、直前に選択された走査線１２の電圧が非選択電圧に到達するタイミングとなるように制御を行えばよい。
【００７６】
（３）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElecTroLuminescent）、無機ＥＬや発光ポリマーなどの発光素子を用いた表示パネルに対しても上記実施形態と同様に本発明が適用され得る。また、着色された液体と当該液体に分散された白色の粒子とを含むマイクロカプセルを電気光学材料として用いた電気泳動表示パネルに対しても上記実施形態と同様に本発明が適用され得る。さらに、極性が相違する領域ごとに異なる色に塗り分けられたツイストボールを電気光学材料として用いたツイストボールディスプレイパネルに対しても上記実施形態と同様に本発明が適用され得る。黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【００７７】
（４）上述した各実施形態ではデータ線駆動回路３０から出力されるプリチャージ電圧およびデータ電圧は、デマルチプレクサー５７を介してデータ線１４に供給されたが、本発明はこれに限定されない、データ線駆動回路３０がデータ線１４の本数（４・J本）だけ出力端子を備え、データ線駆動回路３０の各出力端子とデータ線駆動回路３０の各データ線１４が１対１に接続されてもよい。さらに、データ線駆動回路３０は電気光学パネル１００に形成されてもよい。
【００７８】
＜応用例＞
この発明は、各種の電子機器に利用され得る。図１３から図１５は、この発明の適用対象となる電子機器の具体的な形態を例示するものである。
【００７９】
図１３は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００８０】
図１４は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００８１】
図１５は、電気光学装置を採用した投射型表示装置（３板式のプロジェクター）４０００の構成を示す模式図である。この投射型表示装置４０００は、相異なる表示色Ｒ、Ｇ、Ｂに各々対応する３個の電気光学装置１（１Ｒ，１Ｇ，１Ｂ）を含んでいる。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１（１Ｒ，１Ｇ，１Ｂ）は、照明光学系４００１から供給される各単色光を表示画像に応じて変調する光変調器（ライトバルブ）として機能する。投射光学系４００３は、各電気光学装置１からの出射光を合成して投射面４００４に投射する。本発明はこのような液晶プロジェクターにも適用可能である。
【００８２】
なお、本発明が適用される電子機器としては、図１、および図１３から図１５に例示した機器のほか、携帯情報端末（ＰＤＡ：Ｐｅｒｓｏｎａｌ  Ｄｉｇｉｔａｌ  Ａｓｓｉｓｔａｎｔｓ）が挙げられる。その他にも、デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末が挙げられる。さらに、プリンター，スキャナー，複写機，ビデオプレーヤー，タッチパネルを備えた機器等などが挙げられる。
【符号の説明】
【００８３】
１…電気光学装置、１０…画素部、１２…走査線、１４…データ線、１５…ＶＩＤ信号線、２２…走査線駆動回路、３０…データ線駆動回路、４０…制御回路、５７…デマルチプレクサー、５８…スイッチ、６０…液晶素子、６２…画素電極、６４…コモン電極、６６…液晶、７０…アナログ電圧生成回路、１００…電気光学パネル、２００…駆動用集積回路、３００…フレキシブル回路基板。
【図１】
2018092140.tif 000003
【図２】
2018092140.tif 000004
【図３】
2018092140.tif 000005
【図４Ａ】
2018092140.tif 000006
【図４Ｂ】
2018092140.tif 000007
【図５】
2018092140.tif 000008
【図６】
2018092140.tif 000009
【図７Ａ】
2018092140.tif 000010
【図７Ｂ】
2018092140.tif 000011
【図８】
2018092140.tif 000012
【図９】
2018092140.tif 000013
【図１０】
2018092140.tif 000014
【図１１】
2018092140.tif 000015
【図１２Ａ】
2018092140.tif 000016
【図１２Ｂ】
2018092140.tif 000017
【図１３】
2018092140.tif 000018
【図１４】
2018092140.tif 000019
【図１５】
2018092140.tif 000020